(57)【要約】【課題】過去番組表にサムネイル画像を表示する際、利用者にとってより有用なサムネイル画像を表示する記録再生装置を提供する。【解決手段】実施形態によれば、記録再生装置は、１個または複数のチャンネルについて１個または複数の時間帯に亘って放送番組を記録する記録装置と、前記放送番組を記録する際にネットワークに接続されたサーバから視聴率を取得し、前記視聴率が所定の閾値を越えた領域の時間情報を取得する視聴率取得部と、前記時間情報に基づいて前記放送番組からサムネイル画像を抽出するサムネイル画像抽出部と、前記放送番組の番組情報と前記サムネイル画像から過去番組表を生成する過去番組表生成部と、を有する。【選択図】図８
2014072811.tif 000002
【特許請求の範囲】
【請求項１】
１個または複数のチャンネルについて１個または複数の時間帯に亘って放送番組を記録する記録装置と、
前記放送番組を記録する際にネットワークに接続されたサーバから視聴率を取得し、前記視聴率が所定の閾値を越えた領域の時間情報を取得する視聴率取得部と、
前記時間情報に基づいて前記放送番組からサムネイル画像を抽出するサムネイル画像抽出部と、
前記放送番組の番組情報と前記サムネイル画像から過去番組表を生成する過去番組表生成部と、
を有する記録再生装置。
【請求項２】
前記リアルタイムの視聴率は、視聴地域を対象とした視聴率である請求項１に記載された記録再生装置。
【請求項３】
前記リアルタイムの視聴率は、年齢を対象とした視聴率である請求項１に記載された記録再生装置。
【請求項４】
１個または複数のチャンネルについて１個または複数の時間帯に亘って放送番組を記録する記録装置と、
ネットワークに接続されたサーバからタグリストを取得し、前記タグリストのタグ数が所定の閾値を越えた領域の時間情報を取得するするタグリスト取得部と、
前記時間情報に基づいて前記放送番組からサムネイル画像を抽出するサムネイル画像抽出部と、
前記放送番組の番組情報と前記サムネイル画像から過去番組表を生成する過去番組表生成部と、
を有する記録再生装置。
【請求項５】
１個または複数のチャンネルについて１個または複数の時間帯に亘って放送番組を記録する記録ステップと、
前記放送番組を記録する際にネットワークに接続されたサーバから視聴率を取得し、前記視聴率が所定の閾値を越えた領域の時間情報を取得する視聴率取得ステップと、
前記時間情報に基づいて前記放送番組からサムネイル画像を抽出するサムネイル画像抽出ステップと、
前記放送番組の番組情報と前記サムネイル画像から過去番組表を生成する過去番組表生成ステップと、
を有する記録再生方法。
【請求項６】
前記リアルタイムの視聴率は、年齢を対象とした視聴率である請求項５に記載された記録再生方法。
【請求項７】
前記リアルタイムの視聴率は、年齢を対象とした視聴率である請求項５に記載された記録再生方法。
【請求項８】
１個または複数のチャンネルについて１個または複数の時間帯に亘って放送番組を記録する記録ステップと、
ネットワークに接続されたサーバからタグリストを取得し、前記タグリストのタグ数が所定の閾値を越えた領域の時間情報を取得するするタグリスト取得ステップと、
前記時間情報に基づいて前記放送番組からサムネイル画像を抽出するサムネイル画像抽出ステップと、
前記放送番組の番組情報と前記サムネイル画像から過去番組表を生成する過去番組表生成ステップと、
を有する記録再生方法。
【発明の詳細な説明】
【技術分野】
【０００１】
本発明の実施形態は、放送番組を記録し再生することが可能な記録再生装置及び記録再生方法に関する。
【背景技術】
【０００２】
近年、地上デジタル放送、ＢＳ／ＣＳデジタル放送が本格的に運用され、多くの番組が高画質、高音質で視聴できる環境が整ってきた。デジタル放送は、電子番組表（ＥＰＧ（Electronic Program Guide））の仕組みが備えられており、約１週間先までの番組表が表示でき、放送時間や出演者など番組内容の表示や知りたい情報の検索、番組の視聴予約や録画予約を行うことができる。
【０００３】
チャンネル数の増加に伴い、利用者が視聴したい番組の放送時間が増大し、また放送時間が重複したりすることが起きるため、番組を録画して利用者の都合に合わせた時間に視聴する機会が増えてきた。複数のチューナと比較的大きな記憶容量を有する記録装置を用いて、１個または複数のチャンネルについて、１個または複数の時間帯に亘って放送番組をループ記録し、常時過去の数十時間の放送データを一時保管するタイムシフト記録の機能を有する記録再生装置が登場している。利用者は一時保管された時間をさかのぼって番組を視聴することができる。
【先行技術文献】
【特許文献】
【０００４】
【特許文献１】特開２００７−３０６１５０号公報
【発明の概要】
【発明が解決しようとする課題】
【０００５】
利用者は、タイムシフト記録された番組を視聴する際、画面に表示されたタイムシフト記録の録画番組一覧表（過去番組表）を見て、表示された多数の番組の中から、番組タイトル等の文字情報やサムネイル画像を見ながら視聴したい番組を探すことになる。
【０００６】
従来、過去番組表のサムネイル画像は、例えば、録画開始直後の位置など、決まったところから抽出されていた。この場合、ある放送局の連続ドラマを毎日あるいは毎週録画したときに、サムネイル画像の開始位置が、いつも主題歌の同じ位置になったり、いつもＣＭ（Commercial Message）部分になったりして、本編の内容を確認するまで時間が掛かることがあり、利用者にとって不都合となる場合があった。
【０００７】
本発明の目的は、上記したような事情に鑑み成されたものであって、サムネイル画像を用いて過去番組表を生成する際、利用者にとってより有用なサムネイル画像を用いて過去番組表を生成する記録再生装置及び記録再生方法を提供することである。
【課題を解決するための手段】
【０００８】
上記目的を達成するために、実施形態によれば、記録再生装置は、１個または複数のチャンネルについて１個または複数の時間帯に亘って放送番組を記録する記録装置と、前記放送番組を記録する際にネットワークに接続されたサーバから視聴率を取得し、前記視聴率が所定の閾値を越えた領域の時間情報を取得する視聴率取得部と、前記時間情報に基づいて前記放送番組からサムネイル画像を抽出するサムネイル画像抽出部と、前記放送番組の番組情報と前記サムネイル画像から過去番組表を生成する過去番組表生成部と、を有する。
【図面の簡単な説明】
【０００９】
【図１】実施形態に係る記録再生装置の概観斜視図。
【図２】実施形態に係る記録再生装置１の構成を示したブロック図。
【図３】実施形態に係わるリモコンの外観図。
【図４】実施形態に係わる過去番組表制御部の構成を示したブロック図。
【図５】番組の時間経過と地域別の視聴率の関係の例を示した図。
【図６】番組の時間経過と年齢別の視聴率の関係の例を示した図。
【図７】番組の時間経過とタグ数の関係の例を示した図。
【図８】画面に表示された過去番組表の例を示した図。
【図９】画面にサムネイル画像の表示設定ウィンドーが表示された状態を示した図。
【図１０】年齢別視聴率Ｂを選択したときの過去番組表の例を示した図。
【図１１】過去番組表の表示処理の動作手順を示したフローチャート。
【発明を実施するための形態】
【００１０】
以下実施形態について図面を参照しながら説明する。図１は、実施形態に係る記録再生装置１の概観斜視図である。記録再生装置１は、デジタル放送を受信し、受信した放送番組の映像データ及び音声データの記録および再生が可能であって、画面に放送番組の映像を表示するデジタルテレビ、ＰＣ（Personal Computer）や携帯端末等の映像記録再生装置である。あるいは、デジタル放送を受信し、受信した放送番組の映像データ及び音声データの記録および再生が可能なＤＶＤ（Digital Versatile Disc）レコーダやBlu-ray（登録商標）レコーダ等であってもよい。
【００１１】
記録再生装置１の実施形態として、デジタルテレビを一例として説明する。記録再生装置１は、本体２と、本体２を支持するスタンド３を備えている。本体２は前面側に液晶パネルやＰＤＰ（Plasma Display Panel）パネル等の表示パネル４が配置され、表示パネル４の背面側に表示パネル４を支持する図示しないフレームが配置されている。フレームには表示パネル４を駆動するための図示しない回路基板や電源回路が設置されている。
【００１２】
本体２は、本体２の前面側と上面、底面、両側側面の一部を覆う前面カバー５と、本体２の背面側と上面、底面、両側側面の一部を覆う背面カバー６とによって外面が囲まれている。画面７は、表示パネル４の前面カバー５の窓部５ａの内側の表示部分である。
【００１３】
リモコン８は赤外線あるいはBluetooth（登録商標）等による無線通信を利用して、記録再生装置１の操作受信部へ操作信号を送る操作機器である。
【００１４】
図２は、実施形態に係る記録再生装置１の構成を示したブロック図である。アンテナ１０は、放送局１１から送信された放送電波を受信するための地上デジタル放送あるいは衛星デジタル放送用のアンテナである。チューナ１２は、地上デジタル放送、衛星デジタル放送あるいはケーブルテレビ放送の放送信号の中から所望のチャンネルの放送信号を選局する。チューナ１２は、複数のチューナユニットから構成されており、同時に複数の放送を受信することができる。アンテナ端子１２ａはアンテナ１０が接続される端子である。
【００１５】
復調器１３は、各々のデジタル放送の変調方式に対応して復調する。地上デジタル放送の信号は、ＯＦＤＭ（Orthogonal Frequency Division Multiplexing）復調で、衛星デジタル放送の信号は、ＰＳＫ（Phase Shift Keying）復調で、ＭＰＥＧ２（Moving Picture Experts Group phase 2）−ＴＳ（Transport Stream）に復調され、デコード処理部１４に出力される。また、復調器１３は、ネットワーク送受信部３１を介してインターネット等のネットワーク３２から受信したＩＰ放送を復調する。
【００１６】
デコード処理部１４は、ＭＰＥＧデコーダ、映像音声デコーダ等の機能を有する。デコード処理部１４は、復調器１３から送信されたＭＰＥＧ２−ＴＳデータをセクション化して、番組情報のデータをデコードする。映像ＰＥＳ（Packetized Elementary Stream）に対しては映像ＥＳ（Elementary Stream)化、音声ＰＥＳに対しては音声ＥＳ化を行って映像データ及び音声データをデコードする。
【００１７】
また、デコード処理部１４は、記録装置２６から入力された映像データ及び音声データをデコードする。更に、デコード処理部１４は、外部装置３０から入力された映像データ及び音声データをデコードする機能を有する。
【００１８】
重畳処理部１５は、デコード処理部１４からの映像データと、バス２０を介して転送されるデータ放送やＧＵＩ（Graphical User Interface）情報によるウィンドー描画をプレーン管理して、映像データとの重ね合わせを行い、映像処理部１６に送る。
【００１９】
映像処理部１６は、表示装置１７で表示可能なフォーマット（画素数、フレーム周波数、走査方式）に変換したり、表示色を任意に調整したりして、表示装置１７に出力して映像を画面７に表示させる。
【００２０】
音声処理部１８は、デコード処理部１４から伝送されたデジタルの音声データを、スピーカ１９あるいはイヤホン（図示しない）で再生可能なアナログ音声信号に変換した後、スピーカ１９あるいはイヤホンに出力して音声を再生させる。なお、表示装置１７やスピーカ１９は記録再生装置１の外部にあってもよい。また、記録再生装置１と別の本体に納められていてもよい。
【００２１】
記録再生装置１は、上記した受信動作を含むその全ての動作を制御部２１によって統括的に制御されている。制御部２１はＭＰＵ（Micro Processing Unit）２２が搭載されており、バス２０を介して接続された各構成要素を制御する。
【００２２】
ＲＡＭ（Random Access Memory）２３は、制御部２１のデータ処理に必要な各種データを格納するリードライト用のメモリであり、映像データ、画像フレームの情報等を格納するバッファメモリとして動作する。ＲＯＭ（Read Only Memory）２４は読出し専用のメモリであり、ＭＰＵ２２が実行する制御のプログラムなどを格納している。
【００２３】
フラッシュメモリ２５は、書き換え可能であり、電源を切ってもデータが消えない不揮発性のメモリである。フラッシュメモリ２５は、利用者によって設定された記録再生装置１の機能及び動作に関する各種設定値を記憶する機能を有する。
【００２４】
記録装置２６は、ＨＤＤ（Hard Disk Drive）、ＳＳＤ（Solid State Drive）あるいはＯＤＤ（Optical Disc Drive）等を含む記録手段である。記録装置２６には、情報を記録再生するためのエンコーダとデコーダが搭載されており、該エンコーダとデコーダを介してＭＰＥＧ２−ＴＳデータが記録装置２６の記録再生形態に適したフォーマットに変調されＨＤＤ、ＳＳＤあるいはＯＤＤに記録され、また復調されて再生データとして出力される。この再生データは、デコード処理部１４でデコードされる。なお、記録装置２６は、複数あってもよい。
【００２５】
操作受信部２７は、操作機器２８から送信される操作信号を受信し、制御部２１に転送する。操作機器２８は、例えば、赤外線あるいはBluetooth（登録商標）等による無線通信を利用したリモコン（リモートコントローラ、remote controller）８、有線式あるいは無線式キーボード等であり、操作信号を送出する。操作受信部２７は、これらリモコン８やキーボード等から操作信号を受信する。
【００２６】
外部インターフェース２９は、ＵＳＢ（Universal Serial Bus）、ＩＥＥＥ１３９４（Institute of Electrical and Electronic Engineers 1394）、ｅＳＡＴＡ(external Serial ATA(AT Attachment)）、ＳＤ（Secure Digital）（登録商標）メモリカード、メモリースティック（登録商標）、あるいはＨＤＭＩ（High Definition Multimedia Interface）（登録商標）等のインターフェースであり、ＵＳＢメモリやＵＳＢ外部機器、ＳＤメモリカード、メモリースティック、ＨＤＤ、ＳＳＤ、ＣＤ、ＤＶＤ、Blu-ray（登録商標）記録再生機等のドライブ類を含む外部装置３０が接続される。外部装置端子２９ａは外部装置３０が接続される端子である。
【００２７】
記録再生装置１は、外部インターフェース２９を介して外部装置３０に放送番組を記録することができる。記録装置２６または外部装置３０のどちらに記録するかを利用者が選択できる。また、記録再生装置１は、外部装置３０に記録された映像または音声情報を再生することができる。
【００２８】
記録再生装置１は、ネットワーク送受信部３１を介してインターネット等のネットワーク３２に接続されている。これにより、記録再生装置１は、ネットワーク３２に接続されたサーバ３３等の機器とネットワーク送受信部３１を介して情報伝送を行なうことができる。例えば、ＤＬＮＡ（Digital Living Network Alliance）ガイドラインに対応したサーバから映像コンテンツを受信することが可能である。ネットワーク端子３１ａはネットワーク３５が接続される端子である。ネットワーク送受信部３１とネットワーク３２の接続は有線だけでなく、例えば、ＩＥＥＥ８０２．１１シリーズの通信方式を用いた無線ＬＡＮ等の無線接続であってもよい。
【００２９】
図３は、実施形態に係わるリモコン８の外観図である。リモコン８は赤外線あるいはBluetooth（登録商標）等による無線通信を利用して、記録再生装置１の操作受信部２７へ操作信号を送る。電源ボタン４０は、記録再生装置１の電源をオンまたはオフする。詳細には記録再生装置１を待機状態から動作状態、または動作状態から待機状態にするボタンである。放送波選択ボタン４１は、放送の種類を選択する操作ボタンである。
【００３０】
選局ボタン４２は、放送のチャンネル番号を直接選択する１から１２までの番号が振られたボタンである。チャンネル送りボタン４３は、チャンネル番号を順送りまたは逆送りで選局するボタンであり、選局ボタン４２と同様にチャンネルを選局するときに用いられる。音量調整ボタン４４は、番組を視聴するときのスピーカの音量を調整するボタンである。
【００３１】
カーソルボタン４５は画面７に表示されたＧＵＩ（Graphical User Interface）画面の各種の情報ウィンドー内のカーソルの移動や各種項目の選択ボタンの移動を行うためのボタンである。カーソルボタン４５は十字ボタン、方向指示ボタンとも呼ばれる。左方向カーソルボタン４５ａはカーソルを左方向に移動させるときに用いるボタンである。右方向カーソルボタン４５ｂ、上方向カーソルボタン４５ｃ、下方向カーソルボタン４５ｄはそれぞれカーソルを右方向、上方向、下方向に移動させるときに用いる。決定ボタン４６は、カーソルボタン４５ａ〜４５ｄで移動した先の位置または画面上のボタンを実行するときに用いられる。
【００３２】
番組表ボタン４７は、画面７に番組表を表示するときに操作する専用の操作ボタンである。タイムシフトボタン４８は、画面７に過去番組表を表示するときに使用する専用の操作ボタンである。過去番組表は、利用者がタイムシフト記録された番組を視聴する際に表示する番組の一覧表である。戻るボタン４９は一つ前の操作段階の画面へ戻るときに使うボタンである。終了ボタン５０は、一連の操作を終了するときに操作するボタンである。
【００３３】
補助カーソルボタン５１は、画面７に表示された番組表のページや各種リストの切り換え、複数表示されたタブの切り換えなど、主に画面７に表示されたＧＵＩ画面を切り換えるときに使用される操作ボタンである。補助カーソルボタン５１ａは左方向、５１ｂは右方向、５１ｃは下方向あるいは次の画面、５１ｄは上方向あるいは前の画面を選択したり移動したりするときに操作する。
【００３４】
４色の色ボタン５２は、左から青ボタン５２ａ、赤ボタン５２ｂ、緑ボタン５２ｃ、黄ボタン５２ｄの順に配置されている。画面７上に色により区別された項目や色による選択の表示があるときに使用する。記録装置操作ボタン５３は、記録装置２６や外部インターフェース２９を介して接続された外部装置３０に記録された番組を再生する際に、再生、停止、一時停止、早送り再生、早戻し再生、次番組スキップ、先頭戻り・前番組スキップするためのボタンである。
【００３５】
メニューボタン５４は、記録再生装置１に用意された各種の設定メニューを表示するときに押下するボタンである。利用者は、階層表示された複数の項目の中から目的の設定項目を、カーソルボタン４５を用いて選択する。
【００３６】
図２において、制御部２１は、記録制御部３４、過去番組表制御部３５の機能を有する。この機能は、制御部２１のＭＰＵ２２が実行するアプリケーションであり、通常はＲＯＭ２４に格納されており、使用時にはＭＰＵ２２によって読み出され実行される。
【００３７】
記録制御部３４は、１個または複数のチャンネルについて１個または複数の時間帯に亘って放送番組を記録装置２６または外部装置３０に記録する機能を有する。記録制御部３４は、放送番組の記録（録画）において、ループ記録方式を用いたタイムシフト記録の機能を有する。
【００３８】
タイムシフト記録とは、指定された１個または複数のチャンネルについて指定された１個または複数の時間帯に亘って放送番組をループ記録し、常時過去数時間から数百時間の放送番組を一時保管するものである。利用者は一時保管された時間をさかのぼって番組を視聴することができる。
【００３９】
タイムシフト記録にはループ記録方式が用いられる。ループ記録とは、所定の記録容量を有する記録領域に放送番組を記録し、記録する放送番組の記録データの容量が所定の記録容量を超えると記録時期の古い記録データから順次上書きしながら連続的または断続的に記録する記録方式である。ループ記録によるタイムシフト記録は、記録装置２６について所定の記録容量を有する記録領域を確保し、その記録領域内で他の番組記録とは別に独立して上書き記録を繰り返す記録方式である。一時保管できる時間は記録容量と指定したチャンネル数によって変動する。
【００４０】
ループ記録の記録領域は、記録装置２６、外部装置３０の内部で部分的に設けられる場合や、記録装置２６、外部装置３０の記録領域全体をループ記録の記録領域とする場合がある。ループ記録の記録領域に記録が開始され、記録領域の終点まで記録が進むと、記録領域の録画経過時間の始点に戻って続きの記録を続行する。よって、ループ記録で記録した記録データは、記録時期が古い番組から順に上書き記録によって消去される。
【００４１】
図４は、実施形態に係わる過去番組表制御部３５の構成を示したブロック図である。過去番組表制御部３５は、視聴率取得部６１、タグリスト取得部６２、サムネイル画像抽出部６３、過去番組表生成部６４、過去番組表表示部６５の機能を有する。
【００４２】
過去番組表制御部３５は、過去番組表を生成し過去番組表を画面に表示する際、過去番組表の其々の番組欄にサムネイル画像を表示する機能を有する。サムネイル画像は、番組の地域別の視聴率、年齢別の視聴率、番組のお気に入りやおすすめシーンの情報であるタグリスト等の情報に基づいて番組内から抽出される。利用者は、上記の抽出方法によって抽出されたサムネイル画像の何れかを表示することを設定メニューで選択できる。また、リモコンのタイムシフトボタン４８を押下して過去番組表を画面７に表示した後でもメニューを画面７に表示して変更できる。
【００４３】
視聴率取得部６１は、放送番組を記録する際にネットワーク送受信部３１を介してネットワーク３２に接続された視聴率を配信するサーバ３３から記録している放送番組についてのリアルタイムの視聴率を取得する。視聴率を配信するサーバ３３は、放送中の略全番組についてリアルタイムで視聴率を収集し、この視聴率のデータを要求するクライアントに対してリアルタイムの視聴率を送信する。このリアルタイムの視聴率は、全国を対象とした視聴率の他に指定した地域を対象とした視聴率、指定した年齢を対象とした視聴率、性別を対象とした視聴率等についても取得することができる。複数の放送番組を同時に記録している場合には複数の放送番組について視聴率を取得する。
【００４４】
記録再生装置１の初期設定におけるデジタル放送のチャンネル設定の際に、都道府県、地域を入力したり、郵便番号を入力したりすることによって地域のデータが登録される。この地域のデータによって地域別のリアルタイムの視聴率を取得する。記録再生装置１を利用する利用者や他の視聴者の年齢については、記録再生装置１の設定メニューの中のタイムシフト再生設定メニューの中の年齢設定において入力することができる。年齢設定においては複数の年齢を登録することができる。この年齢のデータによって年齢別のリアルタイムの視聴率を取得する。
【００４５】
視聴率取得部６１は、記録再生装置１が設置されている地域のリアルタイムの視聴率、記録再生装置１に登録した年齢のリアルタイムの視聴率を取得しながら、視聴率が所定の閾値を越えた領域の時間情報を取得し、一旦ＲＡＭ２３に取り込みフラッシュメモリ２５に記憶させる。所定の閾値とは、例えば１０％とか２０％という値である。時間情報とは、例えば、記録番組の開始位置からの経過時間の情報である。
【００４６】
視聴率取得部６１は、一つの番組が終了するとフラッシュメモリ２５に記憶した視聴率のデータの中から地域別、年齢別の視聴率が最も高い位置の時間情報をフラッシュメモリ２５に記憶させる。年齢別の視聴率については、登録された複数の年齢の視聴率のデータを取得する。フラッシュメモリ２５の記憶容量を確保するため視聴率が最も高い位置の時間情報を残して、他のデータは消去するようにしてもよい。
【００４７】
タグリスト取得部６２は、ネットワークに接続されたタグリストを管理する専用のサーバ３３からタグリストを取得する。タグリストとは、放送番組の話題のシーン、スポーツ中継の名場面、音楽番組の出演者ごとの頭だしなどの情報をタグというコメント付きの時間情報としてまとめたリストである。タグは一般の視聴者が携帯端末やパソコン（パーソナルコンピュータ（Personal computer））等を用いてタグリストを管理する専用のサーバ３３に接続して登録したデータであって、一般の視聴者の間で番組に関して話題となっている場面が反映されている。タグリストは一般の視聴者の間で共有、活用される。一般の視聴者はタグリストを管理する専用のサーバ３３からタグリストを取得して記録した番組の話題の場面などから興味のあるものを選んで効率よく記録番組を視聴することができる。
【００４８】
タグリスト取得部６２は、利用者がリモコン８のタイムシフトボタン４８を押下し、利用者がタグリストによって抽出したサムネイル画像を表示するモードを選択したときに、ネットワーク送受信部３１を介してタグリストを管理する専用のサーバ３３に接続して最新のタグリストのデータを取得する。
【００４９】
取得時間を短縮するため、過去番組表の中の画面７に表示される番組のタグリストのデータを取得する。その後で過去番組表の中の画面７に表示された番組より新しい番組のタグリストのデータを順次取得する。利用者が過去番組表をスクロールした場合は、スクロールして表示された番組のタグリストのデータを取得する。なお、タグリストによって抽出したサムネイル画像を表示するモードになっていない場合には、タグリストのデータを取得しないようにしてもよいし、あるいは、利用者がリモコン８のタイムシフトボタン４８を押下した直後からタグリストのデータを取得するようにしてもよい。
【００５０】
タグリスト取得部６２は、過去番組表の一つの番組について、最新のタグリストのデータを取得し、タグ数が所定の閾値を越えた領域の時間情報を一旦ＲＡＭ２３に記憶させてから、フラッシュメモリ２５に記憶させる。また、メモリの記憶容量を確保するためタグ数が最も多い位置の時間情報を残して、他のデータは消去するようにしてもよい。
【００５１】
サムネイル画像抽出部６３は、視聴率取得部６１が取得した時間情報に基づいて放送番組からサムネイル画像を抽出する。サムネイル画像抽出部６３は、視聴率が所定の閾値を越えた領域のサムネイル画像を抽出する。視聴率が所定の閾値を越えた領域のサムネイル画像は、閾値を越えた直後の画像を抽出するようにしてもよい。または、視聴率の時間情報の中から地域別、年齢別の視聴率が最も高い位置の時間情報をフラッシュメモリ２５から取得し、この時間情報に基づいて記録番組の映像データからサムネイル画像を抽出する。抽出したサムネイル画像は、フラッシュメモリ２５、または記録装置２６に記録番組と共に記録される。外部装置３０に番組が記録された場合には、外部装置３０に記録番組と共に記録される。
【００５２】
図５は、番組の時間経過と地域別の視聴率の関係の例を示した図である。横軸は一つの番組の時間経過を表わし、縦軸は視聴率を表わしている。図５（ａ）は、例えば、地域Ａにおける視聴率の変化を表わす。サムネイル画像抽出部６３は、地域Ａの視聴率が所定の閾値を越えた領域のサムネイル画像を抽出する。または、地域Ａの視聴率が最も高い位置の映像データからサムネイル画像７０を抽出する。
【００５３】
図５（ｂ）は、地域Ａとの相違を表わすために記載したグラフであって、例えば、全国における視聴率の変化を表わす。地域Ａと全国の視聴率は、番組のジャンルにもよるが、番組の時間経過に対する視聴率の変化や視聴率が最も高い位置が異なる場合が多い。例えば、全国の視聴率が最も高い位置のサムネイル画像７１はサムネイル画像７０と異なる画像である。
【００５４】
図６は、番組の時間経過と年齢別の視聴率の関係の例を示した図である。横軸は一つの番組の時間経過を表わし、縦軸は視聴率を表わしている。図６（ａ）は、例えば、年齢Ｂにおける視聴率の変化を表わす。サムネイル画像抽出部６３は、年齢Ｂの視聴率が所定の閾値を越えた領域のサムネイル画像を抽出する。または、年齢Ｂの視聴率が最も高い位置の映像データからサムネイル画像７２を抽出する。
【００５５】
図６（ｂ）は、年齢Ｂと異なる年齢Ｃにおける視聴率の変化を表わす。年齢Ｂと年齢Ｃの視聴率は、番組のジャンルにもよるが、番組の時間経過に対する視聴率の変化や視聴率が最も高い位置が異なる場合が多い。例えば、年齢Ｃの視聴率が最も高い位置のサムネイル画像７３はサムネイル画像７２と異なる画像である。
【００５６】
サムネイル画像抽出部６３は、番組の視聴率のデータが無く、視聴率のデータを取得できなかった番組については、番組の開始から所定の時間が経過した画像をサムネイル画像として抽出する。この場合の所定の時間とは、例えば、３０秒とか６０秒である。
【００５７】
サムネイル画像抽出部６３は、タグリスト取得部６２が取得した時間情報に基づいて放送番組からサムネイル画像を抽出する。タグ数が所定の閾値を越えた領域のサムネイル画像を抽出する。タグ数が所定の閾値を越えた領域のサムネイル画像は、閾値を越えた直後の画像を抽出するようにしてもよい。または、サムネイル画像抽出部６３は、タグリスト取得部６２が取得したタグリストのデータの中からタグ数の最も多い場面の時間情報をＲＡＭ２３またはフラッシュメモリ２５から取得し、この時間情報に基づいて記録番組の映像データからサムネイル画像を抽出する。抽出したサムネイル画像は、フラッシュメモリ２５、または記録装置２６に記録番組と関連付けられて記録される。
【００５８】
図７は、番組の時間経過とタグ数の関係の例を示した図である。横軸は一つの番組の時間経過を表わし、縦軸はタグ数を表わす。サムネイル画像抽出部６３は、タグ数が所定の閾値を越えた場面のサムネイル画像を抽出する。または、タグ数が最も多い場面の映像データからサムネイル画像７４を抽出する。
【００５９】
サムネイル画像抽出部６３は、番組のタグリストのデータが無く、タグリストのデータを取得できなかった番組については、番組の開始から所定の時間が経過した画像をサムネイル画像として抽出する。この場合の所定の時間とは、例えば、３０秒とか６０秒である。
【００６０】
サムネイル画像抽出部６３は、利用者が手動でサムネイル画像の抽出位置を設定することによってサムネイル画像を抽出することも可能である。利用者が手動で設定する場合には、既知のチャプター編集と同様な操作により任意のサムネイル画像を設定することが可能である。例えば、過去番組表から記録番組を選択して、タイムシフト再生設定メニューからサムネイル手動抽出編集を選択し、画面７に表示された記録番組の任意のチャプター画像を選択することによって、このチャプター画像をサムネイル画像とすることができる。
【００６１】
過去番組表生成部６４は、放送番組の番組情報とサムネイル画像から過去番組表を生成する。過去番組表生成部６４は、番組のＳＩ（Service Information、番組配列情報）情報から番組情報（放送局名、放送日時、番組名、放送概要、出演者、番組詳細、番組分類等）を取得する。ＳＩ情報は映像・音声などと同様にパケット化され、多重されて送信されている。番組情報のデータは、ＳＩ情報のＥＩＴ(Event Information Table)に含まれており、デコード処理部１４から出力された情報から過去番組表生成部６４が記録前あるいは記録中に番組情報を取得する。取得した番組情報は、フラッシュメモリ２５、または記録装置２６に記録番組と共に記録される。
【００６２】
過去番組表生成部６４は、抽出されたサムネイル画像を用いて過去番組表を生成する。サムネイル画像の抽出方法は、前述したように、地域別の視聴率（記録再生装置１に登録された地域の視聴率）、年齢別の視聴率（記録再生装置１に登録された年齢の視聴率）、タグリストによるタグ数のデータからの抽出があり、また手動によってサムネイル画像を設定することもできる。利用者は、上記の抽出方法によって抽出されたサムネイル画像の何れかを表示することを設定メニューで選択できる。また、リモコン８のタイムシフトボタン４８を押下して過去番組表を画面７に表示した後でもメニュー画面を表示して変更できる。
【００６３】
過去番組表表示部６５は、過去番組表生成部６４が生成した過去番組表データからＧＵＩデータを生成し、画面７に表示させる。過去番組表表示部６５は、生成されたＧＵＩデータを、バス２０を介して重畳処理部１５へ送信する。重畳処理部１５に送付されたＧＵＩデータは、ＧＵＩ単独画面あるいはオーバーレイ画面として処理され映像処理部１６へ伝送され調整されて、さらに表示装置１７に出力され画面７に表示される。
【００６４】
図８は、画面７に表示された過去番組表７４の例を示した図である。利用者がリモコン８のタイムシフトボタン４８を押下すると過去番組表７４が画面７に表示される。過去番組表７４は過去番組表生成部６４によって生成され、過去番組表表示部６５によって画面７に表示される。過去番組表７４は画面７にほぼいっぱいに表示される場合と画面７の中の範囲を指定して過去番組表７４の一部が表示される場合があるが、図８においては、ほぼ画面７いっぱいに表示された場合を示している。
【００６５】
過去番組表７４の基本的な表示様態は、画面７の横方向にチャンネルを示すチャンネル軸７５、縦方向に時間を示す時間軸７６が配置されている。画面７における表示範囲は、画面７の大きさの制約からチャンネル数は数チャンネルであり、また時間帯は数時間である。図８においては、チャンネル数は６チャンネル、時間帯は４時間の範囲が表示されている。文字サイズを小さくしたりサムネイル画像の画像サイズを小さくしたりすることによって表示できるチャンネル数や時間帯を大きくすることができる。
【００６６】
図８において、チャンネル軸７５にはチャンネル表示７７ａ〜７７ｆが表示されている。リモコンのカーソルボタン４５ａ、４５ｂを操作することにより、画面７に表示されていない他のチャンネルを右スクロールまたは左スクロールすることにより閲覧することができる。時間軸７６には、４時間分の時間表示７８ａ〜７８ｄが表示されている。時間軸を下にスクロールすると、表示されている番組より新しい番組の番組情報を見ることができる。また、補助カーソルボタン５１ｃ、５１ｄを押下することによって時間軸方向のページを切り換えることができる。
【００６７】
過去番組表７４の上部には、過去番組表日付７９が表示されている。画面に表示されている過去番組の放送日が表示されている。番組表７４の上部の右側には、現在日時８０が表示されている。図８では、過去番組表日付７９は、「１０／１５（土）ＰＭ７：００」と表示され、現在日時８０は、「１０／１７（月）ＰＭ２：３０」と表示されている。
【００６８】
過去番組表７４において、番組表示部８１の各領域には、テキストデータによる番組名、番組概要（あるいはその一部）が表示されている。また、番組表示部８１の各領域には、其々サムネイル画像８２が表示されている。番組表示部８１の各領域に利用者にとって有用なサムネイル画像８２が表示されているため、利用者は、過去番組表７４を見ながら番組を選択する際、番組に関連性の高い画像を見ることができ、興味のある番組を容易にまた速やかに選択することができる。カーソルボタン４５で番組を選択し、決定ボタン４６を押下し再生指定すると選択した番組を再生することができる。
【００６９】
サムネイル画像８２は、利用者の設定によって、地域別の視聴率による画像、年齢別の視聴率による画像、タグリストによる画像、または手動入力による画像の何れかが選択されているが、過去番組表７４を表示している状態でこの表示設定を変更することができる。例えば、メニューボタン５４を押下し、設定メニューを表示させ、タイムシフト再生設定を選択して決定ボタン４６を押下し、１階層下のサブ設定メニューを表示させ、この中のサムネイル画像表示設定を選択して決定ボタン４６を押下することによってサムネイル画像の表示設定ウィンドーが表示される。あるいは、色ボタン５２を押下すること、例えば、黄色ボタン５２ｄを押下することによって、サムネイル画像の表示設定ウィンドーが表示されるようにしてもよい。
【００７０】
図９は、過去番組表７４が表示された画面７にサムネイル画像の表示設定ウィンドー８３が表示された状態を示した図である。表示設定ウィンドー８３が表示されたとき、その時点で設定されていた表示設定がハイライトされる。図９においては、地域別視聴率が設定された状態を示している。利用者は、カーソルボタン４５で他の抽出方法による表示設定を選択して決定ボタンを押下すると、選択した抽出方法によるサムネイル画像に切り換わる。図１０は、年齢別視聴率Ｂを選択して決定ボタン４６を押下したときの過去番組表７４の例を示した図である。図８と比較して幾つかのサムネイル画像が換わったことがわかる。
【００７１】
図１１は、過去番組表７４の表示処理の動作手順を示したフローチャートである。記録制御部３３によるタイムシフト記録、視聴率取得部６１による視聴率の取得、サムネイル画像抽出部６３によるサムネイル画像の抽出、過去番組表生成部６４による過去番組表の生成、過去番組表表示部６５による過去番組表の表示に関するフローチャートである。
【００７２】
Ｓ１１において、記録制御部３３は、タイムシフト記録を開始する。Ｓ１２において、視聴率取得部６１は、ネットワーク送受信部３１を介してネットワーク３２に接続された視聴率を配信するサーバ３３からリアルタイムの視聴率を取得する。取得する視聴率は、登録された地域の地域別視聴率、登録された年齢の年齢別視聴率を取得する。
【００７３】
Ｓ１３において、視聴率取得部６１は、視聴率が所定の閾値を越えた領域の時間情報を取得し、一旦ＲＡＭ２３に取り込みフラッシュメモリ２５に記憶させる。また、視聴率が最も高い位置の時間情報をフラッシュメモリ２５に記憶させる。
【００７４】
Ｓ１４において、サムネイル画像抽出部６３は、時間情報に基づいて視聴率が所定の閾値を越えた領域のサムネイル画像を抽出する。または、視聴率が最も高い位置のサムネイル画像を抽出する。Ｓ１５において、過去番組表生成部６４は、放送番組の番組情報とサムネイル画像から過去番組表を生成する。
【００７５】
Ｓ１６において、過去番組表表示部６５は、利用者から過去番組表の表示指示があったかを判定する。表示指示があったならば、Ｓ１７に移って、過去番組表表示部６５は、過去番組表を画面７に表示させる。表示指示がなかった場合は、Ｓ１６に戻る。
【００７６】
Ｓ１８において、過去番組表表示部６５は、地域別視聴率、年齢別視聴率、タグリスト、手動入力のうちで他の抽出方法によるサムネイル画像表示へ変更する指示があったかを判定する。変更する指示が無かった場合には、終了する。変更する指示が有った場合には、Ｓ１９へ移る。
【００７７】
Ｓ１９において、過去番組表表示部６５は、タグリストによって抽出されたサムネイル画像の表示が選択されたかを判定する。タグリストによる表示が選択されなかった場合には、Ｓ２０へ移って、地域別視聴率、年齢別視聴率、手動入力による表示に、利用者が指示した表示モードに変更する。タグリストによる表示が選択された場合には、Ｓ２１に移る。
【００７８】
Ｓ２１において、タグリスト取得部６２は、ネットワークに接続されたタグリストを管理する専用のサーバ３３からタグリストを取得する。Ｓ２２において、タグリスト取得部６２は、タグ数が所定の閾値を越えた領域の時間情報を取得し、一旦ＲＡＭ２３に取り込みフラッシュメモリ２５に記憶させる。また、タグ数が最も多い位置の時間情報をフラッシュメモリ２５に記憶させる。
【００７９】
Ｓ２３において、サムネイル画像抽出部６３は、時間情報に基づいてタグ数が所定の閾値を越えた領域のサムネイル画像を抽出する。または、タグ数が最も多い位置のサムネイル画像を抽出する。Ｓ２４において、過去番組表生成部６４は、放送番組の番組情報とサムネイル画像から過去番組表を生成する。Ｓ２５において、過去番組表表示部６５は、過去番組表を画面７に表示させて終了する。
【００８０】
過去番組表が表示されている状態で、過去番組表の中の番組が選択され、決定ボタンが押下され再生指定されたならば、制御部２１がこの番組を再生する。
【００８１】
以上のように、ネットワーク３２に接続されたサーバ３３から、記録番組についての地域別や年齢別のリアルタイムの視聴率を取得し、視聴率の高い場面からサムネイル画像を抽出したり、タグリストを取得し、タグ数の多い場面からサムネイル画像を抽出したりすることによって、利用者にとって適切で有用なサムネイル画像を用いて過去番組表を生成し、この過去番組表を画面７に表示させることができる。このようにすることによって利用者は過去番組表から興味のある番組を容易に速やかに選択することができる。
【００８２】
なお、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。更に異なる実施形態に亘る構成要素を適宜組み合わせてもよい。
【符号の説明】
【００８３】
１  録画再生装置
７  画面
８  リモコン
１４  デコード処理部
１５  重畳処理部
１６  映像処理部
１７  表示装置
２１  制御部
２２  ＭＰＵ
２３  ＲＡＭ
２４  ＲＯＭ
２５  フラッシュメモリ
２６  記録装置
２７  操作受信部
２８  操作機器
２９  外部インターフェース
３０  外部装置
３１  ネットワーク送受信部
３２  ネットワーク
３３  サーバ
３４  記録制御部
３５  過去番組表制御部
４５ａ、４５ｂ、４５ｃ、４５ｄ  カーソルボタン
４６  決定ボタン
４８  タイムシフトボタン
５１ａ、５１ｂ、５１ｃ、５１ｄ  補助カーソルボタン
５２ａ、５２ｂ、５２ｃ、５２ｄ  色ボタン
５４  メニューボタン
６１  視聴率取得部
６２  タグリスト取得部
６３  サムネイル画像抽出部
６４  過去番組表生成部
６５  過去番組表表示部
７４  過去番組表
８１  番組表示部
８２  サムネイル画像
８３  表示設定ウィンドー
【図１】
2014072811.tif 000003
【図２】
2014072811.tif 000004
【図３】
2014072811.tif 000005
【図４】
2014072811.tif 000006
【図５】
2014072811.tif 000007
【図６】
2014072811.tif 000008
【図７】
2014072811.tif 000009
【図８】
2014072811.tif 000010
【図９】
2014072811.tif 000011
【図１０】
2014072811.tif 000012
【図１１】
2014072811.tif 000013